(57)【要約】【課題】故障サーバの位置を容易に特定する。【解決手段】サーバ収納ユニット管理装置（３３１）と接続されるデータセンター管理装置（１０１）と、データセンター管理装置と接続され、サーバ収納ユニット管理装置と接続される携帯表示装置（２１）であって、障害発生サーバ情報を取得し、障害サーバ収納ユニット管理装置と通信し、障害発生サーバに対して、障害が発生した旨を報知させ、障害サーバ収納ユニット管理装置が送信する信号に、サーバに障害が発生したことを示す情報を設定するデータセンター管理装置から、複数のサーバ収納ユニットの配置情報を取得する配置情報取得部（２２）と、サーバに障害が発生したことを示す信号を受信する受信部（２４）と、複数のサーバ収納ユニットの配置情報を表示する際、障害サーバ収納ユニットに対応するサーバ収納ユニットにマークを付す表示部（２３）と、を備える。【選択図】図９
2018156425.tif 000002
【特許請求の範囲】
【請求項１】
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得し、前記障害サーバ収納ユニットを管理する障害サーバ収納ユニット管理装置と前記第一のネットワークを介して通信を行い、前記障害が発生したサーバに対して、前記障害が発生した旨を報知する報知手段を起動させ、前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する配置情報取得手段と、
前記サーバに障害が発生したことを示す情報が設定された信号を、前記無線通信を介して受信する受信手段と、
前記複数のサーバ収納ユニットの配置情報を表示する際、前記障害サーバ収納ユニットに対応するサーバ収納ユニットにマークを付して表示する表示手段と、を備える携帯表示装置。
【請求項２】
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する障害情報取得手段と、
前記障害サーバ収納ユニットを管理する障害サーバ収納ユニット管理装置と前記第一のネットワークを介して通信を行う通信手段と、
前記障害が発生したサーバに対して、前記障害が発生した旨を報知する報知手段を起動させる起動手段と、
前記障害サーバ収納ユニット管理装置が無線通信を用いて送信する信号に、前記障害サーバ収納ユニットが格納するサーバに障害が発生したことを示す情報を設定する設定手段と、を備えるデータセンター管理装置。
【請求項３】
サーバ収容ユニットに収容された所定数のサーバのうち何れかのサーバに障害が発生したことを検出する検出手段と、
前記所定数のサーバのうち何れかのサーバに障害が発生したことを、第一のネットワークを介して、前記サーバ収納ユニットが複数格納されたデータセンターを管理するデータセンター管理装置に通知する通知手段と、
前記障害が発生したサーバの前記障害が発生した旨を報知する報知手段を起動する起動手段と、
前記サーバに障害が発生したことを示す情報が設定された信号を、無線通信を介して携帯表示装置に送信する送信手段と、を備えるサーバ収納ユニット管理装置。
【請求項４】
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する工程と、
前記障害サーバ収納ユニットを管理する障害サーバ収納ユニット管理装置と前記第一のネットワークを介して通信を行う工程と、
前記障害が発生したサーバに対して、前記障害が発生した旨を報知する報知手段を起動させる工程と、
前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する工程と、
を備える携帯表示装置の制御方法。
【請求項５】
携帯表示装置のコンピュータに、
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する処理と、
前記障害サーバ収納ユニットを管理する障害サーバ収納ユニット管理装置と前記第一のネットワークを介して通信を行う処理と、
前記障害が発生したサーバに対して、前記障害が発生した旨を報知する報知手段を起動させる処理と、
前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する処理と、
を実行させるためのプログラム。
【請求項６】
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する工程と、
前記障害サーバ収納ユニットを管理する障害サーバ収納ユニット管理装置と前記第一のネットワークを介して通信を行う工程と、
前記障害が発生したサーバに対して、前記障害が発生した旨を報知する報知手段を起動させる工程と、
前記障害サーバ収納ユニット管理装置が無線通信を用いて送信する信号に、前記障害サーバ収納ユニットが格納するサーバに障害が発生したことを示す情報を設定する工程と、
を備えるデータセンター管理装置の制御方法。
【請求項７】
データセンター管理装置のコンピュータに、
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する処理と、
前記障害サーバ収納ユニットを管理する障害サーバ収納ユニット管理装置と前記第一のネットワークを介して通信を行う処理と、
前記障害が発生したサーバに対して、前記障害が発生した旨を報知する報知手段を起動させる処理と、
前記障害サーバ収納ユニット管理装置が無線通信を用いて送信する信号に、前記障害サーバ収納ユニットが格納するサーバに障害が発生したことを示す情報を設定する処理と、
を実行させるためのプログラム。
【請求項８】
サーバ収容ユニットに収容された所定数のサーバのうち何れかのサーバに障害が発生したことを検出する工程と、
前記所定数のサーバのうち何れかのサーバに障害が発生したことを、第一のネットワークを介して、前記サーバ収納ユニットが複数格納されたデータセンターを管理するデータセンター管理装置に通知する工程と、
前記障害が発生したサーバの前記障害が発生した旨を報知する報知手段を起動する工程と、
前記サーバに障害が発生したことを示す情報が設定された信号を、無線通信を介して携帯表示装置に送信する工程と、
を備えるサーバ収納ユニット管理装置の制御方法。
【請求項９】
サーバ収納ユニット管理装置のコンピュータに、
サーバ収容ユニットに収容された所定数のサーバのうち何れかのサーバに障害が発生したことを検出する処理と、
前記所定数のサーバのうち何れかのサーバに障害が発生したことを、第一のネットワークを介して、前記サーバ収納ユニットが複数格納されたデータセンターを管理するデータセンター管理装置に通知する処理と、
前記障害が発生したサーバの前記障害が発生した旨を報知する報知手段を起動する処理と、
前記サーバに障害が発生したことを示す情報が設定された信号を、無線通信を介して携帯表示装置に送信する処理と、
を実行させるためのプログラム。
【請求項１０】
所定数のサーバを収納するサーバ収納ユニットのそれぞれが、前記サーバ収納ユニットを管理するサーバ収納ユニット管理装置を有しており、前記サーバ収納ユニットが複数格納されたデータセンターと、
前記サーバ収納ユニット管理装置と第一のネットワークを介して接続されるデータセンター管理装置と、
前記データセンター管理装置と第二のネットワークを介して接続され、前記サーバ収納ユニット管理装置と無線通信を介して接続される携帯表示装置と、を有するサーバ管理システムにおいて、
前記サーバ収納ユニット管理装置は、
前記所定数のサーバのうち何れかのサーバに障害が発生したことを検出する検出手段と、
前記所定数のサーバのうち何れかのサーバに障害が発生したことを、前記第一のネットワークを介して前記データセンター管理装置に通知する通知手段と、を有し、
前記データセンター管理装置は、
管理対象サーバと前記管理対象サーバを収納するサーバ収納ユニットとの情報を格納する管理情報データベースに基づいて、前記第一のネットワークを介して通知された前記障害が発生したサーバと、前記障害が発生したサーバを収納する障害サーバ収納ユニットとの情報を取得する障害情報取得手段と、
前記障害サーバ収納ユニットを管理する障害サーバ収納ユニット管理装置と前記第一のネットワークを介して通信を行う通信手段と、
前記障害が発生したサーバに対して、前記障害が発生した旨を報知する報知手段を起動させる起動手段と、
前記障害サーバ収納ユニット管理装置が前記無線通信を用いて送信する信号に、前記障害サーバ収納ユニットが格納するサーバに障害が発生したことを示す情報を設定する設定手段と、を有し、
前記携帯表示装置は、
前記データセンター管理装置から、前記データセンターにおける複数のサーバ収納ユニットの配置情報を、前記第二のネットワークを介して取得する配置情報取得手段と、
前記サーバ収納ユニット管理装置から、前記サーバに障害が発生したことを示す情報が設定された信号を、前記無線通信を介して受信する受信手段と、
前記複数のサーバ収納ユニットの配置情報を表示する際、前記障害サーバ収納ユニットに対応するサーバ収納ユニットにマークを付して表示する表示手段と、
を備える、サーバ管理システム。
【発明の詳細な説明】
【技術分野】
【０００１】
本発明は、携帯表示装置、データセンター管理装置、サーバ収納ユニット管理装置、サーバ管理システム、制御方法及びプログラムに関するものである。
【背景技術】
【０００２】
クラウド技術の拡大に応じて、サーバを管理するデータセンターにおいて、管理するサーバの台数及びサーバの管理項目が拡大してきている。そのため、大規模なデータセンターでは、多数のサーバの中から管理対象となるサーバを特定する作業を効率的に行うことが求められてきている。
【先行技術文献】
【特許文献】
【０００３】
【特許文献１】国際公開第２００５／００６１９０号
【発明の概要】
【発明が解決しようとする課題】
【０００４】
サーバを管理するデータセンターは、多数のサーバをサーバ収納ユニットに格納している。サーバに障害が発生した場合やサーバの更新作業が発生した場合などにおいて、保守員は、データセンターがある現地に出向いてサーバを直接操作する必要がある。サーバには、サーバ自身の状態を示すＬＥＤ（Light Emitting Diode）装置が設けられている。そして、データセンター管理装置から、サーバのＬＥＤを点灯させる技術は、サーバ関連技術としてよく知られている。しかしながら、多数のサーバを収納しているサーバ収納ユニットが多数設けられているデータセンターにおいて、保守員が、各サーバに設置されている小さなＬＥＤの発光を発見することは非常に困難である。
【０００５】
また、サーバを一例とする固定資産を管理する方法として、各サーバにビーコン発信装置を設けることも、サーバ関連技術として知られている。しかしながら、ビーコン発信装置がバッテリ駆動方式である場合、バッテリの容量切れに注意する必要がある。また、ビーコン発信装置が外部電源（商用電源）駆動式である場合、データセンター内に外部電源専用の空間を設ける必要がある。その結果、データセンターの専有面積が拡大してしまうという問題がある。さらに、各サーバ装置に対して新たにビーコン発信装置を設置する場合は、サーバ毎に設置されるビーコン発信装置が発信する値をそれぞれ設定しなければならない。このため、作業に多大な手間がかかるという問題がある。
このように、上記したサーバ関連技術では、データセンターにおいて、対象となるサーバを特定することは、非常に困難であるという問題がある。
【０００６】
特許文献１には、以下に説明する技術が開示されている。複数のサーバを搭載する各ラックと管理用端末とがネットワークを介して接続されている。管理用端末が、あるラックに搭載されているサーバの故障情報を受信すると、管理用端末の表示部にイメージ表示されているサーバのうち、当該故障したサーバのイメージ表示が強調表示される。また、故障したサーバを搭載しているラックの構成記録装置に、当該ラック内の故障サーバの搭載位置を表示する。
【０００７】
しかしながら、特許文献１に記載されている技術において、管理用端末は所定の場所に据え置かれているものである。したがって、データセンター内の保守員の現在地と、故障サーバとの位置関係を正しく認識することができないという問題がある。さらに、保守員が、故障サーバを搭載しているラックが備えられている場所まで出向かなければ、故障したサーバの位置を特定することができないという問題がある、
【０００８】
本発明の目的は、上述した課題を鑑み、保守員が、データセンター内における故障サーバの位置を容易に特定するという課題を解決する携帯表示装置、データセンター管理装置、サーバ収納ユニット管理装置、サーバ管理システム、制御方法及びプログラムを提供することにある。
【課題を解決するための手段】
【０００９】
本発明の携帯表示装置は、管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得し、前記障害サーバ収納ユニットを管理する障害サーバ収納ユニット管理装置と前記第一のネットワークを介して通信を行い、前記障害が発生したサーバに対して、前記障害が発生した旨を報知する報知手段を起動させ、前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する配置情報取得手段と、前記サーバに障害が発生したことを示す情報が設定された信号を、前記無線通信を介して受信する受信手段と、前記複数のサーバ収納ユニットの配置情報を表示する際、前記障害サーバ収納ユニットに対応するサーバ収納ユニットにマークを付して表示する表示手段と、を備える。
【００１０】
また、本発明のデータセンター管理装置は、管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する障害情報取得手段と、前記障害サーバ収納ユニットを管理する障害サーバ収納ユニット管理装置と前記第一のネットワークを介して通信を行う通信手段と、前記障害が発生したサーバに対して、前記障害が発生した旨を報知する報知手段を起動させる起動手段と、前記障害サーバ収納ユニット管理装置が無線通信を用いて送信する信号に、前記障害サーバ収納ユニットが格納するサーバに障害が発生したことを示す情報を設定する設定手段と、を備える。
【００１１】
さらに、本発明のサーバ収納ユニット管理装置は、サーバ収容ユニットに収容された所定数のサーバのうち何れかのサーバに障害が発生したことを検出する検出手段と、前記所定数のサーバのうち何れかのサーバに障害が発生したことを、第一のネットワークを介して、前記サーバ収納ユニットが複数格納されたデータセンターを管理するデータセンター管理装置に通知する通知手段と、前記障害が発生したサーバの前記障害が発生した旨を報知する報知手段を起動する起動手段と、前記サーバに障害が発生したことを示す情報が設定された信号を、無線通信を介して携帯表示装置に送信する送信手段と、を備える。
【００１２】
また、本発明の携帯表示装置の制御方法は、管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する工程と、前記障害サーバ収納ユニットを管理する障害サーバ収納ユニット管理装置と前記第一のネットワークを介して通信を行う工程と、前記障害が発生したサーバに対して、前記障害が発生した旨を報知する報知手段を起動させる工程と、前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する工程と、を備える。
【００１３】
そして、本発明の携帯表示装置のコンピュータに実行させるプログラムは、携帯表示装置のコンピュータに、管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する処理と、前記障害サーバ収納ユニットを管理する障害サーバ収納ユニット管理装置と前記第一のネットワークを介して通信を行う処理と、前記障害が発生したサーバに対して、前記障害が発生した旨を報知する報知手段を起動させる処理と、前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する処理と、を実行させる。
【００１４】
また、本発明のデータ管理装置の制御方法は、管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する工程と、前記障害サーバ収納ユニットを管理する障害サーバ収納ユニット管理装置と前記第一のネットワークを介して通信を行う工程と、前記障害が発生したサーバに対して、前記障害が発生した旨を報知する報知手段を起動させる工程と、前記障害サーバ収納ユニット管理装置が無線通信を用いて送信する信号に、前記障害サーバ収納ユニットが格納するサーバに障害が発生したことを示す情報を設定する工程と、を備える。
【００１５】
さらに、本発明のデータセンター管理装置のコンピュータに実行させるプログラムは、データセンター管理装置のコンピュータに、管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する処理と、前記障害サーバ収納ユニットを管理する障害サーバ収納ユニット管理装置と前記第一のネットワークを介して通信を行う処理と、前記障害が発生したサーバに対して、前記障害が発生した旨を報知する報知手段を起動させる処理と、前記障害サーバ収納ユニット管理装置が無線通信を用いて送信する信号に、前記障害サーバ収納ユニットが格納するサーバに障害が発生したことを示す情報を設定する処理と、を実行させる。
【００１６】
また、本発明のサーバ収納ユニット管理装置の制御方法は、サーバ収容ユニットに収容された所定数のサーバのうち何れかのサーバに障害が発生したことを検出する工程と、前記所定数のサーバのうち何れかのサーバに障害が発生したことを、第一のネットワークを介して、前記サーバ収納ユニットが複数格納されたデータセンターを管理するデータセンター管理装置に通知する工程と、前記障害が発生したサーバの前記障害が発生した旨を報知する報知手段を起動する工程と、前記サーバに障害が発生したことを示す情報が設定された信号を、無線通信を介して携帯表示装置に送信する工程と、を備える。
【００１７】
そして、本発明のサーバ収納ユニット管理装置のコンピュータに実行させるプログラムは、サーバ収納ユニット管理装置のコンピュータに、サーバ収容ユニットに収容された所定数のサーバのうち何れかのサーバに障害が発生したことを検出する処理と、前記所定数のサーバのうち何れかのサーバに障害が発生したことを、第一のネットワークを介して、前記サーバ収納ユニットが複数格納されたデータセンターを管理するデータセンター管理装置に通知する処理と、前記障害が発生したサーバの前記障害が発生した旨を報知する報知手段を起動する処理と、前記サーバに障害が発生したことを示す情報が設定された信号を、無線通信を介して携帯表示装置に送信する処理と、を実行させる。
【００１８】
また、本発明のサーバ管理システムは、所定数のサーバを収納するサーバ収納ユニットのそれぞれが、前記サーバ収納ユニットを管理するサーバ収納ユニット管理装置を有しており、前記サーバ収納ユニットが複数格納されたデータセンターと、前記サーバ収納ユニット管理装置と第一のネットワークを介して接続されるデータセンター管理装置と、前記データセンター管理装置と第二のネットワークを介して接続され、前記サーバ収納ユニット管理装置と無線通信を介して接続される携帯表示装置と、を有するサーバ管理システムにおいて、前記サーバ収納ユニット管理装置は、前記所定数のサーバのうち何れかのサーバに障害が発生したことを検出する検出手段と、前記所定数のサーバのうち何れかのサーバに障害が発生したことを、前記第一のネットワークを介して前記データセンター管理装置に通知する通知手段と、を有し、前記データセンター管理装置は、管理対象サーバと前記管理対象サーバを収納するサーバ収納ユニットとの情報を格納する管理情報データベースに基づいて、前記第一のネットワークを介して通知された前記障害が発生したサーバと、前記障害が発生したサーバを収納する障害サーバ収納ユニットとの情報を取得する障害情報取得手段と、前記障害サーバ収納ユニットを管理する障害サーバ収納ユニット管理装置と前記第一のネットワークを介して通信を行う通信手段と、前記障害が発生したサーバに対して、前記障害が発生した旨を報知する報知手段を起動させる起動手段と、前記障害サーバ収納ユニット管理装置が前記無線通信を用いて送信する信号に、前記障害サーバ収納ユニットが格納するサーバに障害が発生したことを示す情報を設定する設定手段と、を有し、前記携帯表示装置は、前記データセンター管理装置から、前記データセンターにおける複数のサーバ収納ユニットの配置情報を、前記第二のネットワークを介して取得する配置情報取得手段と、前記サーバ収納ユニット管理装置から、前記サーバに障害が発生したことを示す情報が設定された信号を、前記無線通信を介して受信する受信手段と、前記複数のサーバ収納ユニットの配置情報を表示する際、前記障害サーバ収納ユニットに対応するサーバ収納ユニットにマークを付して表示する表示手段と、を備える。
【００１９】
さらに、本発明のサーバ管理システムの制御方法は、所定数のサーバを収納するサーバ収納ユニットのそれぞれが、前記サーバ収納ユニットを管理するサーバ収納ユニット管理装置を有しており、前記サーバ収納ユニットが複数格納されたデータセンターと、前記サーバ収納ユニット管理装置と第一のネットワークを介して接続されるデータセンター管理装置と、前記データセンター管理装置と第二のネットワークを介して接続され、前記サーバ収納ユニット管理装置と無線通信を介して接続される携帯表示装置と、を有するサーバ管理システムの制御方法であって、前記サーバ収納ユニット管理装置は、前記所定数のサーバのうち何れかのサーバに障害が発生したことを検出する工程と、前記所定数のサーバのうち何れかのサーバに障害が発生したことを、前記第一のネットワークを介して前記データセンター管理装置に通知する工程と、を有し、前記データセンター管理装置は、管理対象サーバと前記管理対象サーバを収納するサーバ収納ユニットとの情報を格納する管理情報データベースに基づいて、前記第一のネットワークを介して通知された前記障害が発生したサーバと、前記障害が発生したサーバを収納する障害サーバ収納ユニットとの情報を取得する工程と、前記障害サーバ収納ユニットを管理する障害サーバ収納ユニット管理装置と前記第一のネットワークを介して通信を行う工程と、前記障害が発生したサーバに対して、前記障害が発生した旨を報知する報知手段を起動させる工程と、前記障害サーバ収納ユニット管理装置が前記無線通信を用いて送信する信号に、前記障害サーバ収納ユニットが格納するサーバに障害が発生したことを示す情報を設定する工程と、を有し、前記携帯表示装置は、前記データセンター管理装置から、前記データセンターにおける複数のサーバ収納ユニットの配置情報を、前記第二のネットワークを介して取得する工程と、前記サーバ収納ユニット管理装置から、前記サーバに障害が発生したことを示す情報が設定された信号を、前記無線通信を介して受信する工程と、前記複数のサーバ収納ユニットの配置情報を表示する際、前記障害サーバ収納ユニットに対応するサーバ収納ユニットにマークを付して表示する工程と、を備える。
【発明の効果】
【００２０】
本発明によれば、保守員が、データセンター内における故障サーバの位置を容易に特定することが可能な携帯表示装置、データセンター管理装置、サーバ収納ユニット管理装置、サーバ管理システム、制御方法及びプログラムを提供できる。
【図面の簡単な説明】
【００２１】
【図１】本発明の第１実施形態のサーバ管理システムの一例を示す概略ブロック図である。
【図２】第１実施形態のサーバ管理システムで使用されるビーコンの内容の一例について説明する図である。
【図３】第１実施形態のサーバ管理システムで使用される携帯マップ表示装置の表示画面の一例について説明する図である。
【図４】第１実施形態のサーバ管理システムにおいて、管理対象とするサーバ収納ユニットを登録する動作の一例を示すフローチャートである。
【図５】第１実施形態のサーバ管理システムにおいて、障害発生時の対応処理の動作の一例を示すフローチャートである。
【図６】第１実施形態のサーバ管理システムにおいて、携帯マップ表示装置のマップ表示処理の動作の一例を示すフローチャートである。
【図７】第２実施形態のサーバ管理ステムで使用される携帯マップ表示装置の表示画面の一例について説明する図である。
【図８】本発明の第２実施形態のサーバ管理システムにおいて、現在地特定処理の動作の一例を示すフローチャートである。
【図９】本発明の第５実施形態のサーバ管理システムの一例を示す概略ブロック図である。
【発明を実施するための形態】
【００２２】
（第１実施形態）
本発明の第１実施形態を説明する。図１は、本発明の第１実施形態のサーバ管理システムの一例を示す概略ブロック図である。
図１を参照すると、本実施形態のサーバ管理システム１００は、データセンター管理装置１０１と、マップ情報データベース（以下、ＤＢという。）１０２と、管理対象情報ＤＢ１０３と、携帯マップ表示装置２０１と、サーバ収納ユニット３００と、ネットワーク１  ４０１、ネットワーク２  ４０２と、Ｂｌｕｅｔｏｏｔｈ（登録商標）  Ｌｏｗ  Ｅｎｅｒｇｙ信号４０３と、を有する。
【００２３】
携帯マップ表示装置２０１は、マップ表示装置２０２と、ビーコン受信装置２０３とを有する。サーバ収納ユニット３００は、サーバ１  ３１１と、サーバ２  ３１２と、サーバ３  ３１３と、サーバ４  ３１４と、サーバ収納ユニット管理装置３３１とを有する。サーバ収納ユニット管理装置３３１は、サーバ管理装置３３２と、ビーコン発信装置３３３とを有する。サーバ１  ３１１は、ＬＥＤ装置１  ３２１を、サーバ２  ３１２は、ＬＥＤ装置２  ３２２を、サーバ３  ３１３は、ＬＥＤ装置３  ３２３を、サーバ４  ３１４は、ＬＥＤ装置４  ３２４を、それぞれ有する。なお、図１では、サーバ収納ユニット３００は、サーバ１  ３１１からサーバ４  ３１４の４台のサーバを収納しているが、サーバの収納台数は、任意の台数とすることができる。さらに、図１は、サーバ収納ユニット３００が１台の場合について例示しているが、サーバ収納ユニット３００の台数は、任意の台数とすることができる。また、携帯マップ表示装置２０１は、表示部を有する携帯装置であれば、どのような携帯端末であってもよい。
【００２４】
次に、本実施系形態のサーバ管理システム１００を構成する各装置の機能について説明する。
携帯マップ表示装置２０１のビーコン受信装置２０３は、サーバ収納ユニット３００内のサーバ収納ユニット管理装置３３１に搭載されているビーコン発信装置３３３から送信されるビーコンを受信する。携帯マップ表示装置２０１のマップ表示装置２０２は、データセンター内の各サーバ収納ユニット３００の状態をマッピングして表示する。
ネットワーク１  ４０１は、携帯マップ表示装置２０１とデータセンター管理装置１０１とを接続する。携帯マップ表示装置２０１とデータセンター管理装置１０１とは、ネットワーク１  ４０１を介して互いに通信可能である。ネットワーク２  ４０２は、データセンター管理装置１０１とサーバ収納ユニット管理装置３３１とを接続する。データセンター管理装置１０１とサーバ収納ユニット管理装置３３１とは、ネットワーク２  ４０２を介して互いに通信可能である。なお、携帯マップ表示装置２０１とサーバ収納ユニット管理装置３３１とは、互いに通信することはできない。なお、ネットワーク１  ４０１、ネットワーク２  ４０２は、どのようなネットワークであってもよい。
【００２５】
データセンター管理装置１０１は、データセンター全体を管理する。マップ情報ＤＢ１０２は、データセンター内におけるサーバ収納ユニット３００の配置情報を格納する。管理対象情報ＤＢ１０３は、サーバ収納ユニット３００に格納されているサーバ１  ３１１から４  ３１４に関する情報と、サーバ収納ユニット管理装置３３１に関する情報とを格納する。
サーバ収納ユニット３００のサーバ１  ３３１から４  ３１４は、予め定められた演算処理を実行する。サーバ１  ３３１から４  ３２４のＬＥＤ装置１  ３１２から４  
３２４は、各サーバの状態を表示する。
【００２６】
サーバ収納ユニット管理装置３３１のサーバ管理装置３３２は、サーバ収納ユニット３００内のサーバ１  ３１１から４  ３１４の状態を管理する。サーバ収納ユニット管理装置３３１のビーコン発信装置３３３は、Ｂｌｕｅｔｏｏｔｈ技術を用いて、携帯マップ表示装置２０１のビーコン受信装置２０３に対してビーコンを常時発信する。なお、本実施形態は、消費電力をさらに抑えるため、Ｂｌｕｅｔｏｏｔｈ  Ｌｏｗ  Ｅｎｅｒｇｙ（以下、ＢＬＥともいう。）を用いる構成を採用している。また、本実施形態では、ビーコン発信装置３３３がビーコンを発信する通信形態として、Ｂｌｕｅｔｏｏｔｈを一例に挙げて説明を行っている。しかしながら、近距離無線通信を行うことができる通信形態であれば、どのような通信形態であってもよい。
【００２７】
次に、第１実施形態のサーバ管理システムで使用されるビーコンの内容の一例について図２を用いて説明する。図２は、第１実施形態のサーバ管理システムで使用されるビーコンの内容の一例について説明する図である。
ＢＬＥは、極僅かな電力で動作する代わりに、通信できるデータ量が限られている。ビーコン発信装置３３３が発信可能な情報は、図２に示すように、個体を識別するためのＵＵＩＤ（Universally Unique Identifier）５０１、メジャー値５０２、及びマイナー値５０３である。
ＵＵＩＤ５０１は、サーバ収納ユニット３００を識別する一意なＩＤである。メジャー値５０２及びマイナー値５０３は、１６ビットの整数である。データセンター管理装置１０１は、メジャー値５０２及びマイナー値５０３を指定する。この指定は、データセンター管理装置１０１が、ネットワーク２  ４０２を介してサーバ収納ユニット管理装置３３１を通じてビーコン発信装置３３３に対して行う。
データセンター管理装置１０１は、メジャー値５０２に、データセンター内のフロア（階層）を識別するＩＤ（以下、フロアＩＤともいう。）を指定する。マイナー値５０３はサーバの状態を表す。データセンター管理装置１０１は、マイナー値５０３に、サーバが通常状態である場合は０を、サーバに障害が発生した場合は１をそれぞれ設定する。
【００２８】
次に、第１実施形態のサーバ管理システムで使用される携帯マップ表示装置の表示画面の一例について図３を参照して説明する。図３は、サーバ管理システムで使用される携帯マップ表示装置の表示画面にサーバ収納ユニットの状態が表示される一例を示す図である。
【００２９】
図３に示すように、携帯マップ表示装置２０１のマップ表示装置２０２は、次のサーバ収納ユニット３００が表示される。携帯マップ表示装置２０１は、ネットワーク１  ４０１を介して、データセンター管理装置１０１からマップ情報ＤＢ１０２に格納されているデータセンターのマップ情報を取得する。携帯マップ表示装置２０１は、取得したマップ情報のうち、ビーコン受信装置２０３で受信したビーコンのメジャー値５０２が、データセンター内のフロア（階層）が同一である（フロアＩＤが同一である）ことを示すサーバ収納ユニット３００をマップ表示装置２０２に表示する。
図３の場合、サーバ収納ユニット１１  ３０１、サーバ収納ユニット１２  ３０２、サーバ収納ユニット１３  ３０３、サーバ収納ユニット１４  ３０４、  サーバ収納ユニット２１  ３０５、サーバ収納ユニット２２  ３０６、サーバ収納ユニット２３  ３０７、及びサーバ収納ユニット２４  ３０８が、マップ表示装置２０２に表示されている。これらのサーバ収納ユニットは、携帯マップ表示装置２０１が取得したマップ情報のうち、ビーコン受信装置２０３で受信したビーコンのメジャー値５０２が、データセンター内のフロア（階層）が同一である（フロアＩＤが同一である）ことを示すサーバ収納ユニットに該当する。
【００３０】
サーバ収納ユニット１２  ３０２、サーバ収納ユニット１３  ３０３、サーバ収納ユニット２２  ３０６、及びサーバ収納ユニット２３  ３０７に付されているマーク２５１は、ビーコン受信装置２０３で受信したビーコンのＵＵＩＤ５０１が一致する旨のマークである。
サーバ収納ユニット１４  ３０４に付されているマーク２５２は、ビーコン受信装置２０３で受信したビーコンのマイナー値５０３が０以外である（サーバが通常状態でないことを示す）旨のマークである。
図３に示すマップ表示装置２０２は、後述する本実施形態の動作説明において、適宜参照する。
【００３１】
次に、本実施形態のサーバ管理システムにおいて、管理対象とするサーバ収納ユニットを登録する動作について説明する。図４は、本実施形態のサーバ管理システムにおいて、管理対象とするサーバ収納ユニットを登録する動作の一例を示すフローチャートである。
ステップＳ５１の処理において、データセンター管理装置１０１は、管理対象とするサーバ収納ユニット３００を管理対象情報ＤＢ１０３に記録する。
ステップＳ５２の処理において、データセンター管理装置１０１は、ステップＳ５１の処理において管理対象として記録したサーバ収納ユニット３００から、各サーバ収納ユニット３００が搭載しているサーバの情報を取得して管理対象情報ＤＢ１０３に記録する。
ステップＳ５３の処理において、管理者は、データセンター内におけるサーバ収納ユニット３００の配置情報を設定する。
【００３２】
ステップＳ５４の処理において、データセンター管理装置１０１は、ステップＳ５３の処理において設定した配置情報を、マップ情報ＤＢ１０２に記録する。
ステップＳ５５の処理において、管理者は、マップ情報にフロアＩＤを設定する。
ステップＳ５６の処理において、データセンター管理装置１０１は、ステップＳ５５の処理で設定したフロアＩＤを、マップ情報ＤＢに１０２に記録する。
ステップＳ５７の処理において、データセンター管理装置１０１は、ネットワーク２  ４０２を介して、サーバ収納ユニット管理装置３３１と通信を行う。データセンター管理装置１０１は、ステップＳ５５の処理において設定したフロアＩＤを、ビーコンのメジャー値５０２として設定する。
【００３３】
次に、本実施形態のサーバ管理システムにおいて、障害発生時の対応処理の動作について説明する。図５は、本実施形態のサーバ管理システムにおいて、障害発生時の対応処理の動作の一例を示すフローチャートである。
ステップＳ６１の処理において、サーバ収納ユニット管理装置３３１は、サーバの障害を検出すると、ネットワーク２  ４０２を介してデータセンター管理装置１０１に通知する。
ステップＳ６２の処理において、データセンター管理装置１０１は、障害が発生したサーバと、サーバ収納ユニット３００の情報とを、管理対象情報ＤＢ１０３から取得する。
【００３４】
ステップＳ６３の処理において、データセンター管理装置１０１は、ネットワーク２  ４０２を介して、ステップＳ６２の処理おいて障害が発生した旨の情報を取得したサーバ収納ユニット３００に収納されるサーバ収納ユニット管理装置３３１と通信を行う。データセンター管理装置１０１は、通信を行ったサーバ収納ユニット管理装置３００の障害が発生したサーバのＬＥＤ装置を点灯させる。
ステップＳ６４の処理において、データセンター管理装置１０１は、ネットワーク２  ４０２を介して、ステップＳ６２の処理おいて障害が発生した旨の情報を取得したサーバ収納ユニット３００に収納されるサーバ収納ユニット管理装置３３１と通信を行う。データセンター管理装置１０１は、サーバ収納ユニット管理装置３３１のビーコン発信装置３３３から発信するビーコンのマイナー値５０３を１に設定する。
【００３５】
次に、本実施形態のサーバ管理システムにおいて、携帯マップ表示装置のマップ表示処理の動作について説明する。図６は、本実施形態のサーバ管理システムにおいて、携帯マップ表示装置のマップ表示処理の動作の一例を示すフローチャートである。
ステップＳ７１の処理において、携帯マップ表示装置２０１は、ネットワーク１  ４０１を介して、データセンター管理装置１０１から、ビーコンのマイナー値５０３に０以外の（サーバが通常状態でないことを示す）値が設定されたサーバ収納ユニット３００の一覧を取得する。
ステップＳ７２の処理において、携帯マップ表示装置２０１は、ネットワーク１  ４０１を介して、データセンター管理装置１０１から、データセンターのマップ情報を取得する。
ステップＳ７３の処理において、携帯マップ表示装置２０１のビーコン受信装置２０３は、ビーコン発信装置３３３から発信されるビーコンを受信する。障害が発生したサーバを収納するサーバ収納ユニット管理装置３３１のビーコン発信装置３３３から発信されるビーコンのマイナー値５０３には、０以外の（サーバが通常状態でないことを示す）値が設定されている。障害が発生していないサーバを収納するサーバ収納ユニット管理装置３３１のビーコン発信装置３３３から発信されるビーコンのマイナー値５０３には、０が設定されている。
ステップＳ７４の処理において、ビーコン受信装置２０３は、ビーコンを受信することができたか否かを判断する。ビーコン受信装置２０３は、ビーコンを受信することができなかった（ステップＳ７４：Ｎｏ）と判断すると、ステップＳ７９の処理へ移行する。ビーコン受信装置２０３は、ビーコンを受信することができた（ステップＳ７４：Ｙｅｓ）と判断すると、ステップＳ７５の処理へ移行する。
【００３６】
ステップＳ７５の処理において、携帯マップ表示装置２０１は、受信したビーコンからメジャー値５０２（フロアＩＤ）を入手する。
ステップＳ７６の処理において、携帯マップ表示装置２０１は、フロアＩＤが一致するマップ情報を選択してマップ表示装置２０２に表示する。このとき、マップ表示装置２０２は、上述した図３に示した状態（サーバ収納ユニット１１  ３０１〜サーバ収納ユニット２４  ３０８が表示された状態）を表示する。
ステップＳ７７の処理において、携帯マップ表示装置２０１は、マップ表示装置２０２において、サーバ収納ユニット３０４にマーク２５２を表示する。サーバ収納ユニット１４  ３０４は、ステップＳ７１の処理において取得したマイナー値５０３に０以外（サーバが通常状態でないことを示す）の値が設定されたサーバ収納ユニットである。このとき、マップ表示装置２０２は、上述した図３に示した状態を表示する。
ステップＳ７８の処理において、携帯マップ表示装置２０１は、受信したビーコンからＵＵＩＤ５０１を取得する。携帯マップ表示装置２０１のマップ表示装置２０２は、ビーコン受信装置２０３で受信したビーコンのうち、マップ情報のＵＵＩＤ５０１が一致するサーバ収納ユニット３０２、３０３、３０６、３０７にマーク２５１を表示する。このとき、マップ表示装置２０２は、上述した図３に示した状態を表示する。
ステップＳ７９の処理において、携帯マップ表示装置２０１のマップ表示装置２０２は、マップ情報の一覧を表示する。
【００３７】
以上説明したように、本実施形態では、図６のステップＳ７２で説明したように、携帯マップ表示装置２０１は、データセンター管理装置１０１から、データセンターのマップ情報を取得することとしている。また、図６のステップＳ７３からステップＳ７７で説明したように、携帯マップ表示装置２０１のビーコン受信装置２０３が受信するビーコンのうち、フロアＩＤが一致するマップ情報を表示する際、マイナー値５０３に０以外の（サーバが通常状態でないことを示す）値が設定されたサーバ収納ユニットにマークを付して表示することとしている。さらに、図５のステップＳ６３で説明したように、データセンター管理装置１０１は、障害が発生したサーバのＬＥＤ装置を点灯させることとしている。したがって、データセンター内の保守員は、取得したマップ情報と、サーバが通常状態でないことを示す値がマイナー値５０３に設定されたビーコンと、ＬＥＤ装置の点灯とに基づいて、保守が必要なサーバ収納ユニット内のサーバを容易に特定することができる。その結果、サーバを特定する手間を省くことができる。
【００３８】
また、図５のステップＳ６４で説明したように、データセンター管理装置１０１は、障害が発生した旨の情報を取得したサーバ収納ユニット管理装置３３１のビーコン発信装置３３３から発信するビーコンのマイナー値５０３を１に設定している。すなわち、データセンター管理装置１０１が、ビーコン発信装置３３３が発信するビーコンの値を設定することとしている。このため、それぞれのビーコン発信装置３３３に対して、障害が発生した旨を通知するよう設定する手間を省くことができる。さらに、ビーコン発信装置３３３は、サーバ収納ユニット３００内に設置されている。したがって、ビーコン発信装置３３３に供給する電源を新たに設ける必要がなくなる。さらに、図４のステップＳ５７で説明したように、データセンター管理装置１０１は、フロアＩＤを、ビーコンのメジャー値５０２として設定している。このため、保守者は、手動でビーコン発信装置３３３の設定を行う必要がなくなる。
【００３９】
（第２実施形態）
次に、本発明の第２実施形態を説明する。図７は、第２実施形態のサーバ管理ステムで使用される携帯マップ表示装置の表示画面の一例について説明する図である。
図７を参照すると、本実施形態では、第１実施形態と比較して、携帯マップ表示装置２０１のマップ表示装置２０２に、サーバ収納ユニットの状態に加えて、保守者の現在地が表示される点が異なっている。この点以外は第１実施形態と同様であるので、第１実施形態と異なる点について詳細に説明する。
【００４０】
携帯マップ表示装置２０１は、ビーコン受信装置２０３で受信したビーコンの電波強度に基づいて、サーバ収納ユニット管理装置３３１内のビーコン発信装置３３３までの距離を推定する。そして、この推定した距離に基づいて、三角測量を用いて携帯マップ表示装置２０１の現在位置を推定する。携帯マップ表示装置２０１は、この推定した現在地を示すマーク２５３を、マップ表示装置２０２に表示する。また、保守員が、携帯マップ表示装置２０１を持った状態で移動した場合は、ビーコン受信装置２０３で受信した電波強度の変化に基づいて現在地を再計算する。これにより、携帯マップ表示装置２０１は、常に現在地を示すマーク２５３を表示しながら、保守員を目的のサーバが設けられている場所まで案内することができる。
【００４１】
次に、本発明の第２実施形態のサーバ管理システムにおいて、現在地を特定する動作について説明する。図８は、本発明の第２実施形態のサーバ管理システムにおいて、現在地特定処理の動作の一例を示すフローチャートである。
ステップＳ８１の処理において、携帯マップ表示装置２０１は、ビーコン受信装置２０３を使用してビーコン発信装置３３３から発信されるビーコンを受信する。
ステップＳ８２の処理において、携帯マップ表示装置２０１の図示しない制御部は、ビーコンを３つ以上受信することができたか否かを判断する。制御部が、ビーコンを３つ以上受信することができない（ステップＳ８２：Ｎｏ）と判断すると、処理を終了する。この場合、携帯マップ表示装置２０１は、現在地を推定することができない。制御部が、ビーコンを３つ以上受信することができた（ステップＳ８２：Ｙｅｓ）と判断すると、ステップＳ８３の処理へ移行する。
【００４２】
ステップＳ８３の処理において、携帯マップ表示装置２０１は、受信したすべてのビーコンの電波強度に基づいて、携帯マップ表示装置２０１からサーバ収納ユニット管理装置３３１内のビーコン発信装置３３３までの距離を推定する。
ステップＳ８４の処理において、携帯マップ表示装置２０１は、ステップＳ８３の処理において推定したビーコン発信装置３３３までの距離と、ビーコン発信装置３３３の位置とに基づいて、三角測量を用いて現在地を推定する。
ステップＳ８５の処理において、携帯マップ表示装置２０１は、マップ表示装置２０２に表示されるデータセンターのマップ情報に、現在地を示すマーク２５３を重ねて表示する。
これにより、保守者は、データセンター内における故障サーバの位置を自分の現在地と対比しながら容易に特定することが可能になる。
【００４３】
（第３実施形態）
次に、本発明の第３実施形態を説明する。本実施形態では、サーバ収納ユニット３００内にもビーコン受信装置を搭載することとしている。
あるサーバ収納ユニット３００に搭載されたビーコン受信装置は、周囲に存在する他のサーバ収納ユニットに搭載されたビーコン発信装置から発信されるビーコンを受信する。ビーコン受信装置を搭載したあるサーバ収納ユニット３００は、受信したビーコンに基づいて、周囲に存在する他のサーバ収納ユニット、及びあるサーバ収納ユニット３００と他のサーバ収納ユニットとの間の距離を推定することができる。
データセンター管理装置１０１は、ネットワーク２  ４０２を介して、すべてのサーバ収納ユニットから、周囲に存在する他のサーバ収納ユニットの情報を取得する。これにより、データセンター管理装置１０１は、サーバ収納ユニットのマップ情報を自動的に作成することができる。
【００４４】
（第４実施形態）
次に、本発明の第４実施形態を説明する。本実施形態では、資産管理を必要とするすべての機器にビーコン発信装置を搭載する。ここでいうすべての機器とは、企業の業務活動において日々使用されている固定資産（例えば、計測器、複合機、パソコン等）を指す。
そして、サーバ収納ユニット３００は、すべての機器に搭載されたビーコン発信装置から発信されたビーコンを受信するビーコン受信装置を搭載する。データセンター管理装置１０１は、ネットワーク２  ４０２を介してサーバ収納ユニット３００との間で通信を行う。これにより、データセンター管理装置１０１は、企業内に存在する固定資産をすべて把握することができる。
【００４５】
（第５実施形態）
次に、本発明の第５実施形態を説明する。図９は、本発明の第５実施形態のサーバ管理システムの一例を示す概略ブロック図である。
本実施形態の携帯表示装置２１は、配置情報取得部２２と、表示部２３と、受信部２４と、を有する。
図９を参照すると、所定数（図９では４台）のサーバ（３１〜３４）を収納するサーバ収納ユニット３００のそれぞれが、サーバ収納ユニット３００を管理するサーバ収納ユニット管理装置３３１を有している。サーバ収納ユニット３００が複数（図９では３台）格納されたデータセンター１０内のサーバ収納ユニット管理装置３３１とデータセンター管理装置１０１とは、第一のネットワーク４２を介して接続されている。携帯表示装置２１とデータセンター管理装置１０１とは、第二のネットワーク４１を介して接続されている。また、携帯表示装置２１とサーバ収納ユニット管理装置３３１とは、無線通信４３を介して接続されている。
【００４６】
管理情報データベース１０３は、管理対象サーバと管理対象サーバを収納するサーバ収納ユニットとの情報を格納している。データセンター管理装置１０１は、管理情報データベース１０３に基づいて、第一のネットワーク４２を介して通知された、障害が発生したサーバと、障害が発生したサーバを収納する障害サーバ収納ユニットとの情報を、取得する。データセンター管理装置１０１は、第一のネットワーク４２を介して、障害サーバ収納ユニットを管理する障害サーバ収納ユニット管理装置と通信を行う。データセンター管理装置１０１は、障害が発生したサーバに対して、障害が発生した旨を報知する報知部（３５〜３８）を起動させる。データセンター管理装置１０１は、障害サーバ収納ユニット管理装置が無線通信４３を用いて送信する信号に、障害サーバ収納ユニットが格納するサーバに障害が発生したことを示す情報を設定する。
【００４７】
携帯表示装置２１の配置情報取得部２２は、第二のネットワーク４１を介して、データセンター管理装置１０１から、データセンター１０における複数のサーバ収納ユニット３００の配置情報を取得する。受信部２３は、無線通信４３を介して、サーバに障害が発生したことを示す情報が設定された信号を、サーバ収納ユニット管理装置３３１から受信する。表示部２４は、複数のサーバ収納ユニットの配置情報を表示する際、障害サーバ収納ユニットに対応するサーバ収納ユニット３００にマークを付して表示する。
【００４８】
なお、本実施形態において、所定数のサーバ３１から３４のうち何れかのサーバに障害が発生したことを検出する検出部と、当該所定数のサーバ３１から３４のうち何れかのサーバに障害が発生したことを、第一のネットワーク４２を介してデータセンター管理装置１０１に通知する通知部とは、第１実施形態の図１におけるサーバ管理装置３３２で実現される。
また、本実施形態において、データセンター管理装置１０１は、次の各部を有する。一つ目は、管理対象サーバと管理対象サーバを収納するサーバ収納ユニットとの情報を格納する管理情報データベース１０３に基づいて、第一のネットワーク４２を介して通知された障害が発生したサーバと、障害が発生したサーバを収納する障害サーバ収納ユニットとの情報を取得する障害情報取得部である。二つ目は、障害サーバ収納ユニットを管理する障害サーバ収納ユニット管理装置と第一のネットワーク４２を介して通信を行う通信部である。三つ目は、障害が発生したサーバに対して、障害が発生した旨を報知する報知部（３５〜３８）を起動させる起動部である。四つ目は、障害サーバ収納ユニット管理装置が無線通信４３を用いて送信する信号に、障害サーバ収納ユニットが格納するサーバ（３１〜３４）に障害が発生したことを示す情報を設定する設定部である。
【００４９】
なお、携帯マップ表示装置２０１、データセンター管理装置１０１、及びサーバ収納ユニット管理装置３３１の図示しない記憶部に格納されているプログラムは、記録媒体で提供されてもよく、また、インターネット等のネットワークを介して提供されてもよい。記録媒体は、コンピュータ使用可能媒体又はコンピュータ可読媒体であって、磁気、光、電子、電磁気、赤外線などを用いて情報の記録又は読み取りが可能な媒体を含む。そのような媒体として、例えば、半導体メモリ、半導体または固体の記憶装置、磁気テープ、取外し可能なコンピュータディスケット、ランダムアクセスメモリ（ＲＡＭ（Random Access Memory））、読出し専用メモリ（ＲＯＭ（Read Only Memory））、磁気ディスク、光ディスク、光磁気ディスクなどがある。
【００５０】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５１】
上記の実施形態の一部又は全部は、以下の付記のようにも記載されうるが、以下には限られない。
［付記１］
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得し、前記障害サーバ収納ユニットを管理する障害サーバ収納ユニット管理装置と前記第一のネットワークを介して通信を行い、前記障害が発生したサーバに対して、前記障害が発生した旨を報知する報知手段を起動させ、前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する配置情報取得手段と、
前記サーバに障害が発生したことを示す情報が設定された信号を、前記無線通信を介して受信する受信手段と、
前記複数のサーバ収納ユニットの配置情報を表示する際、前記障害サーバ収納ユニットに対応するサーバ収納ユニットにマークを付して表示する表示手段と、
を備える携帯表示装置。
［付記２］
前記無線通信は、ビーコンを使用する通信である、付記１に記載の携帯表示装置。
［付記３］
前記サーバに障害が発生したことを示す情報は、前記ビーコンのマイナー値に設定される、付記２に記載の携帯表示装置。
［付記４］
前記配置情報は、前記データセンターのフロア情報を含む、付記１から３の何れか１項に記載の携帯表示装置。
［付記５］
前記フロア情報は、前記ビーコンのメジャー値に設定される、付記４に記載の携帯表示装置。
［付記６］
前記報知手段は、ＬＥＤ（Light Emitting Diode）である、付記１から５の何れか１項に記載の携帯表示装置。
［付記７］
前記表示手段は、前記配置情報を表示する際、当該携帯表示装置の現在地を併せて表示する、付記１から６の何れか１項に記載の携帯表示装置。
［付記８］
前記現在地は、前記ビーコンの電波強度から推定される前記サーバ収納管理装置との間の距離と、前記サーバ収納管理装置の位置情報とに基づいて推定される、付記７に記載の携帯表示装置。
［付記９］
前記表示手段は、前記配置情報を表示する際、前記データセンターの同一フロアにあるサーバ収納ユニットを表示する、付記１から８の何れか１項に記載の携帯表示装置。
［付記１０］
前記サーバ収納ユニットは、前記ビーコンを受信するビーコン受信手段をさらに備え、複数のサーバ収納ユニット同士で前記ビーコンを使用して送受信を行い、前記サーバ収納ユニット同士の間の距離を推定する、付記２に記載の携帯表示装置。
［付記１１］
前記データセンター管理装置は、前記データセンターに格納されるすべてのサーバ収納ユニットから、前記データセンターに格納されている他のサーバ収納ユニットの情報を前記第一のネットワークを介して取得し、前記データセンターに格納されているサーバ収納装置の配置情報を作成する、付記１に記載の携帯表示装置。
［付記１２］
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する障害情報取得手段と、
前記障害サーバ収納ユニットを管理する障害サーバ収納ユニット管理装置と前記第一のネットワークを介して通信を行う通信手段と、
前記障害が発生したサーバに対して、前記障害が発生した旨を報知する報知手段を起動させる起動手段と、
前記障害サーバ収納ユニット管理装置が無線通信を用いて送信する信号に、前記障害サーバ収納ユニットが格納するサーバに障害が発生したことを示す情報を設定する設定手段と、を備えるデータセンター管理装置。
［付記１３］
前記無線通信は、ビーコンを使用する通信である、付記１２に記載のデータセンター管理装置。
［付記１４］
前記サーバに障害が発生したことを示す情報は、前記ビーコンのマイナー値に設定される、付記１３に記載のデータセンター管理装置。
［付記１５］
前記報知手段は、ＬＥＤ（Light Emitting Diode）である、付記１２から１４の何れか１項に記載のデータセンター管理装置。
［付記１６］
前記サーバ収納ユニットは、前記ビーコンを受信するビーコン受信手段をさらに備え、複数のサーバ収納ユニット同士で前記ビーコンを使用して送受信を行い、前記サーバ収納ユニット同士の間の距離を推定する、付記１３に記載のデータセンター管理装置。
［付記１７］
前記データセンターに格納されるすべてのサーバ収納ユニットから、前記データセンターに格納されている他のサーバ収納ユニットの情報を前記第一のネットワークを介して取得し、前記データセンターに格納されているサーバ収納装置の配置情報を作成する、付記１２に記載のデータセンター管理装置。
［付記１８］
サーバ収容ユニットに収容された所定数のサーバのうち何れかのサーバに障害が発生したことを検出する検出手段と、
前記所定数のサーバのうち何れかのサーバに障害が発生したことを、第一のネットワークを介して、前記サーバ収納ユニットが複数格納されたデータセンターを管理するデータセンター管理装置に通知する通知手段と、
前記障害が発生したサーバの前記障害が発生した旨を報知する報知手段を起動する起動手段と、
前記サーバに障害が発生したことを示す情報が設定された信号を、無線通信を介して携帯表示装置に送信する送信手段と、を備えるサーバ収納ユニット管理装置。
［付記１９］
前記無線通信は、ビーコンを使用する通信である、付記１８に記載のサーバ収納ユニット管理装置。
［付記２０］
前記サーバに障害が発生したことを示す情報は、前記ビーコンのマイナー値に設定される、付記１９に記載のサーバ収納ユニット管理装置。
［付記２１］
前記報知手段は、ＬＥＤ（Light Emitting Diode）である、付記１８から２０の何れか１項に記載のサーバ収納ユニット管理装置。
［付記２２］
前記サーバ収納ユニットは、前記ビーコンを受信するビーコン受信手段をさらに備え、複数のサーバ収納ユニット同士で前記ビーコンを使用して送受信を行い、前記サーバ収納ユニット同士の間の距離を推定する、付記１８に記載のサーバ収納ユニット管理装置。
［付記２３］
前記データセンター管理装置は、前記データセンターに格納されるすべてのサーバ収納ユニットから、前記データセンターに格納されている他のサーバ収納ユニットの情報を前記第一のネットワークを介して取得し、前記データセンターに格納されているサーバ収納装置の配置情報を作成する、付記１８に記載のサーバ収納ユニット管理装置。
［付記２４］
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する工程と、
前記障害サーバ収納ユニットを管理する障害サーバ収納ユニット管理装置と前記第一のネットワークを介して通信を行う工程と、
前記障害が発生したサーバに対して、前記障害が発生した旨を報知する報知手段を起動させる工程と、
前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する工程と、
を備える携帯表示装置の制御方法。
［付記２５］
携帯表示装置のコンピュータに、
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する処理と、
前記障害サーバ収納ユニットを管理する障害サーバ収納ユニット管理装置と前記第一のネットワークを介して通信を行う処理と、
前記障害が発生したサーバに対して、前記障害が発生した旨を報知する報知手段を起動させる処理と、
前記障害サーバ収納ユニット管理装置が無線通信を用いて送信する信号に、前記障害サーバ収納ユニットが格納するサーバに障害が発生したことを示す情報を設定するデータセンター管理装置から、所定数のサーバを収納するサーバ収納ユニットが複数格納されたデータセンターにおける複数のサーバ収納ユニットの配置情報を、第二のネットワークを介して取得する処理と、
を実行させるためのプログラム。
［付記２６］
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する工程と、
前記障害サーバ収納ユニットを管理する障害サーバ収納ユニット管理装置と前記第一のネットワークを介して通信を行う工程と、
前記障害が発生したサーバに対して、前記障害が発生した旨を報知する報知手段を起動させる工程と、
前記障害サーバ収納ユニット管理装置が無線通信を用いて送信する信号に、前記障害サーバ収納ユニットが格納するサーバに障害が発生したことを示す情報を設定する工程と、
を備えるデータセンター管理装置の制御方法。
［付記２７］
データセンター管理装置のコンピュータに、
管理対象サーバと前記管理対象サーバを収納するサーバ収納ユニットとの情報を格納する管理情報データベースに基づいて、第一のネットワークを介して通知された障害が発生したサーバと、前記障害が発生したサーバを収納する障害サーバ収納ユニットとの情報を取得する処理と、
前記障害サーバ収納ユニットを管理する障害サーバ収納ユニット管理装置と前記第一のネットワークを介して通信を行う処理と、
前記障害が発生したサーバに対して、前記障害が発生した旨を報知する報知手段を起動させる処理と、
前記障害サーバ収納ユニット管理装置が無線通信を用いて送信する信号に、前記障害サーバ収納ユニットが格納するサーバに障害が発生したことを示す情報を設定する処理と、
を実行させるためのプログラム。
［付記２８］
サーバ収容ユニットに収容された所定数のサーバのうち何れかのサーバに障害が発生したことを検出する工程と、
前記所定数のサーバのうち何れかのサーバに障害が発生したことを、第一のネットワークを介して、前記サーバ収納ユニットが複数格納されたデータセンターを管理するデータセンター管理装置に通知する工程と、
前記障害が発生したサーバの前記障害が発生した旨を報知する報知手段を起動する工程と、
前記サーバに障害が発生したことを示す情報が設定された信号を、無線通信を介して携帯表示装置に送信する工程と、
を備えるサーバ収納ユニット管理装置の制御方法。
［付記２９］
サーバ収納ユニット管理装置のコンピュータに、
サーバ収容ユニットに収容された所定数のサーバのうち何れかのサーバに障害が発生したことを検出する処理と、
前記所定数のサーバのうち何れかのサーバに障害が発生したことを、第一のネットワークを介して、前記サーバ収納ユニットが複数格納されたデータセンターを管理するデータセンター管理装置に通知する処理と、
前記障害が発生したサーバの前記障害が発生した旨を報知する報知手段を起動する処理と、
前記サーバに障害が発生したことを示す情報が設定された信号を、無線通信を介して携帯表示装置に送信する処理と、
を実行させるためのプログラム。
［付記３０］
所定数のサーバを収納するサーバ収納ユニットのそれぞれが、前記サーバ収納ユニットを管理するサーバ収納ユニット管理装置を有しており、前記サーバ収納ユニットが複数格納されたデータセンターと、
前記サーバ収納ユニット管理装置と第一のネットワークを介して接続されるデータセンター管理装置と、
前記データセンター管理装置と第二のネットワークを介して接続され、前記サーバ収納ユニット管理装置と無線通信を介して接続される携帯表示装置と、を有するサーバ管理システムにおいて、
前記サーバ収納ユニット管理装置は、
前記所定数のサーバのうち何れかのサーバに障害が発生したことを検出する検出手段と、
前記所定数のサーバのうち何れかのサーバに障害が発生したことを、前記第一のネットワークを介して前記データセンター管理装置に通知する通知手段と、を有し、
前記データセンター管理装置は、
管理対象サーバと前記管理対象サーバを収納するサーバ収納ユニットとの情報を格納する管理情報データベースに基づいて、前記第一のネットワークを介して通知された前記障害が発生したサーバと、前記障害が発生したサーバを収納する障害サーバ収納ユニットとの情報を取得する障害情報取得手段と、
前記障害サーバ収納ユニットを管理する障害サーバ収納ユニット管理装置と前記第一のネットワークを介して通信を行う通信手段と、
前記障害が発生したサーバに対して、前記障害が発生した旨を報知する報知手段を起動させる起動手段と、
前記障害サーバ収納ユニット管理装置が前記無線通信を用いて送信する信号に、前記障害サーバ収納ユニットが格納するサーバに障害が発生したことを示す情報を設定する設定手段と、を有し、
前記携帯表示装置は、
前記データセンター管理装置から、前記データセンターにおける複数のサーバ収納ユニットの配置情報を、前記第二のネットワークを介して取得する配置情報取得手段と、
前記サーバ収納ユニット管理装置から、前記サーバに障害が発生したことを示す情報が設定された信号を、前記無線通信を介して受信する受信手段と、
前記複数のサーバ収納ユニットの配置情報を表示する際、前記障害サーバ収納ユニットに対応するサーバ収納ユニットにマークを付して表示する表示手段と、
を備える、サーバ管理システム。
［付記３１］
前記無線通信は、ビーコンを使用する通信である、付記３０に記載のサーバ管理システム。
［付記３２］
前記サーバに障害が発生したことを示す情報は、前記ビーコンのマイナー値に設定される、付記３１に記載のサーバ管理システム。
［付記３３］
前記配置情報は、前記データセンターのフロア情報を含む、付記３０から３２の何れか１項に記載のサーバ管理システム。
［付記３４］
前記フロア情報は、前記ビーコンのメジャー値に設定される、付記３３に記載のサーバ管理システム。
［付記３５］
前記報知手段は、ＬＥＤ（Light Emitting Diode）である、付記３０から３４の何れか１項に記載のサーバ管理システム。
［付記３６］
前記表示手段は、前記配置情報を表示する際、前記携帯表示装置の現在地を併せて表示する、付記３０から３５の何れか１項に記載のサーバ管理システム。
［付記３７］
前記現在地は、前記ビーコンの電波強度から推定される前記サーバ収納管理装置との間の距離と、前記サーバ収納管理装置の位置情報とに基づいて推定される、付記３６に記載のサーバ管理システム。
［付記３８］
前記表示手段は、前記配置情報を表示する際、前記データセンターの同一フロアにあるサーバ収納ユニットを表示する、付記３０から３７の何れか１項に記載のサーバ管理システム。
［付記３９］
前記サーバ収納ユニットは、前記ビーコンを受信するビーコン受信手段をさらに備え、複数のサーバ収納ユニット同士で前記ビーコンを使用して送受信を行い、前記サーバ収納ユニット同士の間の距離を推定する、付記３１に記載のサーバ管理システム。
［付記４０］
前記データセンター管理装置は、前記データセンターに格納されるすべてのサーバ収納ユニットから、前記データセンターに格納されている他のサーバ収納ユニットの情報を前記第一のネットワークを介して取得し、前記データセンターに格納されているサーバ収納装置の配置情報を作成する、付記３０に記載のサーバ管理システム。
［付記４１］
所定数のサーバを収納するサーバ収納ユニットのそれぞれが、前記サーバ収納ユニットを管理するサーバ収納ユニット管理装置を有しており、前記サーバ収納ユニットが複数格納されたデータセンターと、
前記サーバ収納ユニット管理装置と第一のネットワークを介して接続されるデータセンター管理装置と、
前記データセンター管理装置と第二のネットワークを介して接続され、前記サーバ収納ユニット管理装置と無線通信を介して接続される携帯表示装置と、を有するサーバ管理システムの管理方法であって、
前記サーバ収納ユニット管理装置は、
前記所定数のサーバのうち何れかのサーバに障害が発生したことを検出する工程と、
前記所定数のサーバのうち何れかのサーバに障害が発生したことを、前記第一のネットワークを介して前記データセンター管理装置に通知する工程と、を有し、
前記データセンター管理装置は、
管理対象サーバと前記管理対象サーバを収納するサーバ収納ユニットとの情報を格納する管理情報データベースに基づいて、前記第一のネットワークを介して通知された前記障害が発生したサーバと、前記障害が発生したサーバを収納する障害サーバ収納ユニットとの情報を取得する工程と、
前記障害サーバ収納ユニットを管理する障害サーバ収納ユニット管理装置と前記第一のネットワークを介して通信を行う工程と、
前記障害が発生したサーバに対して、前記障害が発生した旨を報知する報知手段を起動させる工程と、
前記障害サーバ収納ユニット管理装置が前記無線通信を用いて送信する信号に、前記障害サーバ収納ユニットが格納するサーバに障害が発生したことを示す情報を設定する工程と、を有し、
前記携帯表示装置は、
前記データセンター管理装置から、前記データセンターにおける複数のサーバ収納ユニットの配置情報を、前記第二のネットワークを介して取得する工程と、
前記サーバ収納ユニット管理装置から、前記サーバに障害が発生したことを示す情報が設定された信号を、前記無線通信を介して受信する工程と、
前記複数のサーバ収納ユニットの配置情報を表示する際、前記障害サーバ収納ユニットに対応するサーバ収納ユニットにマークを付して表示する工程と、
を備えるサーバ管理システムの管理方法。
【符号の説明】
【００５２】
１０    データセンター
２１    携帯表示装置
２２    配置情報取得部
２３    表示部
２４    受信部
３１、３２、３３、３４    サーバ
３５、３６、３７、３８    報知部
４１    第二のネットワーク
４２    第一のネットワーク
４３    無線通信
１００    サーバ管理システム
１０１    データセンター管理装置
１０２    マップ情報データベース（ＤＢ）
１０３    管理対象情報データベース（ＤＢ）
２０１    携帯マップ表示装置
２０２    マップ表示装置
２０３    ビーコン受信装置
２５１    ＵＵＩＤが一致する旨のマーク
２５２    マイナー値が０以外である旨のマーク
２５３    現在地を示すマーク
３００    サーバ収納ユニット
３０１    サーバ収納ユニット１１
３０２    サーバ収納ユニット１２
３０３    サーバ収納ユニット１３
３０４    サーバ収納ユニット１４
３０５    サーバ収納ユニット２１
３０６    サーバ収納ユニット２２
３０７    サーバ収納ユニット２３
３０８    サーバ収納ユニット２４
３１１    サーバ１
３１２    サーバ２
３１３    サーバ３
３１４    サーバ４
３２１    ＬＥＤ装置１
３２２    ＬＥＤ装置２
３２３    ＬＥＤ装置３
３２４    ＬＥＤ装置４
３３１    サーバ収納ユニット管理装置
３３２    サーバ管理装置
３３３  ビーコン発信装置
４０１    ネットワーク１
４０２    ネットワーク２
４０３    Ｂｌｕｒｔｏｏｔｈ  Ｌｏｗ  Ｅｎｅｒｇｙ  信号
５０１    ＵＵＤＩ
５０２    メジャー値
５０３    マイナー値
【図１】
2018156425.tif 000003
【図２】
2018156425.tif 000004
【図３】
2018156425.tif 000005
【図４】
2018156425.tif 000006
【図５】
2018156425.tif 000007
【図６】
2018156425.tif 000008
【図７】
2018156425.tif 000009
【図８】
2018156425.tif 000010
【図９】
2018156425.tif 000011